【事件の表示】
　平成３年特許願第２３２３２１号「脱穀装置」拒絶査定不服審判事件〔平成５年３月２日出願公開、特開平５−４９３４１〕について、次のとおり審決する。
【結　論】
　本件審判の請求は、成り立たない。
【理　由】
１．手続きの経緯・本願発明
　本願は、平成３年８月２０日の出願であって、その請求項１ないし５に係る発明は、平成１４年１１月１１日に提出した手続補正書で補正された明細書及び図面の記載からみて、その特許請求の範囲の請求項１ないし５に記載されたとおりのものであり、その請求項１に係る発明（以下、「本願発明」という）は次のとおりのものである。
　「扱胴５と処理胴４１とを併設し、該扱胴５と処理胴４１との下側に前部の移送板１２と中間部のグレンシーブ１５と後部のストローラック１６とを備えた揺動選別体１４を配置し、該揺動選別体１４の下側に送風唐箕２１と一番コンベア１８と二番コンベア１９とを配置した脱穀装置において、前記一番コンベア１８の前側に送風唐箕２１を配置して一番コンベア１８上側へ選別風を送風する送風口２３を形成し、前記移送板１２の下側であって送風唐箕２１の前側に近接して補助送風唐箕２８を配置して移送板１２後端部下側から後方へ選別風を送風する補助送風路２６を移送板１２の下側に沿って略水平方向に形成し、前記扱胴５の後方であってストローラック１６の上方の高位置に横断流吸引ファン４２を配置し、もって低位置に配置した送風口２３からの主選別風と中間位置に配置した補助送風路２６からの補助選別風と高位置に配置した横断流吸引ファン４２の吸引風力とによって被選別物の風選別を行うように構成し、前記補助送風唐箕２８を側面視で前記送風唐箕２１の前方に近接配置し、前記送風唐箕２１は前記補助送風唐箕２８よりも大径に構成し、前記補助送風唐箕２８は、側面視で前記送風唐箕２１の上半部の前方に近接し、且つ、補助送風唐箕２８の中心が側面視で送風唐箕２１の上端より下方で中心より上方に位置するように配置し、前記補助送風路２６を側面視でグレンシーブ１５より下方で送風唐箕２１の上方に形成したことを特徴とする脱穀装置。」
　
２．引用例記載の発明
（１）当審において通知した拒絶の理由に引用した、本願出願前に頒布された実願昭６２−１４１０９号（実開昭６３−１２２０３６号）のマイクロフィルム（以下、「引用例１」という）には、脱穀機に関し、次の記載が認められる。
（１-a）「脱穀機８は機体上部に、扱胴９を回転可能に設けた扱室３と扱胴９の軸芯と同方向に軸芯を有する処理胴１０を回転可能に設けた処理室１１とを並設している。そして、該扱室３の下部外周に扱室受網１２を設け、・・・該扱室受網１２の端部を扱胴９よりも短かく形成し排塵口１４を設けている。
　そして、機体の下部に設けた風選室１には、機体側面視において、選別終端部を前記扱室受網１２の中間部下方に位置し、選別終端部を前記排塵口１４の下方に位置したグレンシーブ２と、・・・第２グレンシーブ１５と、・・・ストローラック１６とを備えた選別棚１７を前記扱胴９の扱胴軸芯方向に揺動可能に設けている。また、風選室１の底部には選別棚１７の選別始端側から唐箕１８と、第２グレンシーブ１５から落下した毅粒を回収する１番物回収装置１９と、グレンシーブ２及びストローラック１６から落下した穀粒を回収する２番物回収装置２０を設けている。
　そして、扱室受網１２と選別棚１７の空間部に搬送始端部を扱室３の前壁に形成した供給口２１側に位置し搬送終端部を排塵口７に近接して回転可能に設けた搬送ラセン４とこの搬送ラセン４の下面に近接して設けた案内板５とを備えてなる搬送装置６を設置している。」（３頁１２行〜５頁１行）、
（１-b）「２３は搬送装置６と選別棚１７間に形成された空間部に選別風を送風する第２唐箕である。２４は扱室３の後壁に設けた排出口、・・・
　機体後部には、・・・ストローラック１６の搬送終端部の上方に位置し前記唐箕１８との間に選別風路を形成する横断流ファン型の排塵機２８、」（５頁９〜１９行）、
（１-c）「扱室受網１２から漏下した脱穀物は各搬送装置６に回収されて搬送ラセン４によって失印方向に搬送され、一部は小孔２２から残部は落下口７からグレンシーブ２上に落下する。・・・そして、グレンシーブ２に落下した穀粒は、揺動作用および唐箕１８と第２唐箕２３の選別風によって揺動風選作用を受けるので、グレンシーブ２から落下した落下物は直接あるいは第２グレンシーブ１５を介して落下して１番物回収装置１９に回収される。・・・ストローラック１６から漏下した穀粒や枝梗付着粒やカギ又や一部の稈切れ等は下方の２番物回収装置２０に回収される」（６頁８行〜７頁１１行）。
　上記記載及び図面の記載によると、引用例１には、
　扱胴９と処理胴１０とを併設し、該扱胴９と処理胴１０との下側に、前部の案内板５と、中間部のグレンシーブ２と後部のストローラック１６とを備えた選別棚１７を配置し、該案内板５と選別棚１７の下側に唐箕１８と１番物回収装置１９と２番物回収装置２０とを配置した脱穀装置において、前記１番物回収装置１９の前側に唐箕１８を配置して１番物回収装置１９上側へ選別風を送風する送風口を形成し、前記案内板５の下側であって唐箕１８の前側に近接して第２唐箕２３を配置して案内板５後端部下側から後方へ選別風を送風する送風路を案内板５の下側に沿って略水平方向に形成し、前記扱胴９の後方であってストローラック１６の上方の高位置に横断流ファン型の排塵機２８を配置し、もって低位置に配置した唐箕１８の送風口からの選別風と中間位置に配置した第２唐箕２３の送風路からの選別風と高位置に配置した排塵機２８の吸引風力とによって被選別物の風選別を行うように構成し、前記第２唐箕２３を側面視で前記唐箕１８の斜め前方上方に近接配置し、前記唐箕１８と前記第２唐箕２３とをほぼ同径に構成し、前記第２唐箕２３は、側面視で前記唐箕１８の斜め前方上方に近接し、且つ、第２唐箕２３の中心が側面視で唐箕１８の中心より上方に位置するように配置し、前記第２唐箕２３の送風路を側面視で唐箕１８の上方に形成した脱穀装置（以下、「引用例１の発明」という）が記載されていると認められる。
（２）同じく拒絶の理由に引用した、本願出願前に頒布された実願平１−１２２６３９号（実開平３−６１８３８号）のマイクロフィルム（以下、「引用例２」という）には、「最初に処理穀稈を選別する揺動選別板21の選別体43は、複数のフィンが移送方向に対して直角に所定間隔で固定されたもので、取り付け方向は移送板41の鋸歯形状に準じて斜め後方へ向けられている。穀粒や排稈などからなる処理穀稈が選別体43上に達すると、フィンの間から吹きあげる選別風によって、排稈は後方へ吹き飛ばされ、穀粒はフィンの隙間から落下する。揺動選別板21の下側には更に揺動選別板27が設けられており、揺動選別板21,27の間には揺動選別板21に選別風を送る送風ファン25が設けられている。」（８頁２０行〜９頁１０行）と記載されている。
（３）同じく拒絶の理由に引用した、本願出願前に頒布された実願平６３−１３６７４０号（実開平２−５７３３９号公報）のマイクロフイルム（以下、「引用例３」という）には、「受網６下方から後述する排塵選別室７にわたる部位には揺動選別体15が前後および上下に揺動自在に架設されており、この揺動選別体15は、上段のチヤフシーブ９と、下段の波型移送板（移送板）12及び選別網（漏下選別体）13からなる移送選別板14とから構成されている。
　この揺動選別体15のチヤフシーブ９と波型移送板12との間には、第１シロツコフアン16の吹出口16aが開口され、」（５頁１０〜１８行）と記載されている。
（４）同じく拒絶の理由に引用した、本願出願前に頒布された実願平１−１１７８４０号（実開平３−５６３２７号）のマイクロフイルム（以下、「引用例４」という）には、「受網２ｂの下方に位置して扱胴２の始端から処理胴３の中途部にわたって前後に無孔波板４ａ及び目合い調整可能な横桟４ｂから構成されたチャフシーブ４が設けられ、また、無孔波板４ａの下方には第一圧風ファンＴ１、横桟４ｂの下方には無孔波板５ａ及びクリンプ網５ｂを前後に配置したグレンシーブ５が設けられ、・・・二番物及び排塵物は第二圧風ファンＴ２からの圧風及び第一圧風ファンＴ１からの圧風により前記グレンシーブ５の漏下網５ｂに隣接した二番物選別部８上へと風選移送され、」（５頁２〜１６行）と記載されている。
　
３．対比・判断
　本願発明と引用例１の発明とを対比すると、引用例１の発明の「扱胴９」が本願発明の「扱胴５」に相当し、同様に、「処理胴１０」が「処理胴４１」に、「案内板５」が「移送板１２」に、「グレンシーブ２」が「グレンシーブ１５」に、「ストローラック１６」が「ストローラック１６」に、「選別棚１７」が「揺動選別体１４」に、「１番物回収装置１９」が「一番コンベア１８」に、「２番物回収装置２０」が「二番コンベア１９」に、「横断流ファン型の排塵機２８」が「横断流吸引ファン４２」に、それぞれ相当している。
　また、引用例１の発明の「唐箕１８」は本願発明の「送風唐箕２１」に対応し、共に「第１唐箕」ということができ、さらに、引用例１の発明の「第２唐箕２３」は本願発明の「補助送風唐箕２８」に対応し、共に「第２唐箕」ということができる。
　そうすると、本願発明と引用例１の発明とは、
　扱胴と処理胴とを併設し、該扱胴と処理胴との下側に前部の移送板と中間部のグレンシーブと後部のストローラックとを備えた揺動選別体を配置し、該揺動選別体の下側に送風唐箕と一番コンベアと二番コンベアとを配置した脱穀装置において、前記一番コンベアの前側に第１唐箕を配置して一番コンベア上側へ選別風を送風する送風口を形成し、前記移送板の下側であって第１唐箕の前側に近接して第２唐箕を配置して移送板後端部下側から後方へ選別風を送風する送風路を移送板の下側に沿って略水平方向に形成し、前記扱胴の後方であってストローラックの上方の高位置に横断流吸引ファンを配置し、もって低位置に配置した送風口からの選別風と中間位置に配置した送風路からの選別風と高位置に配置した横断流吸引ファンの吸引風力とによって被選別物の風選別を行うように構成し、前記第２唐箕を側面視で前記第１唐箕の前方に近接配置し、第２唐箕の中心が側面視で第１唐箕の中心より上方に位置するように配置した脱穀装置で一致し、
　第１唐箕と第２唐箕とが、本願発明では、第１唐箕である送風唐箕２１は第２唐箕である補助送風唐箕２８よりも大径に構成し、前記補助送風唐箕２８は、側面視で前記送風唐箕２１の上半部の前方に近接し、且つ、補助送風唐箕２８の中心が側面視で送風唐箕２１の上端より下方で中心より上方に位置するように配置し、補助送風路２６を側面視でグレンシーブ１５より下方で送風唐箕２１の上方に形成しているのに対し、
引用例１の発明では、第１唐箕である唐箕１８と第２唐箕である第２唐箕２３とをほぼ同径に構成し前記第２唐箕２３は、側面視で前記送風唐箕の斜め前方上方に近接し、且つ、第２唐箕２３の中心が側面視で唐箕１８の中心より上方に位置するように配置し、その送風路を側面視で唐箕１８の上方に形成しているが、グレンシーブ２より下方ではない点、で構成が相違する。
　上記相違点について検討する。
　引用例２には、揺動選別板21の下側に揺動選別板27を設け、揺動選別板21,27の間に、揺動選別板21に選別風を送る送風ファン25を設けることが記載されており、引用例３には、揺動選別体15において、上段のチヤフシーブ９と下段の波型移送板12との間に、第１シロツコフアン16の吹出口16aを開口させることが記載されており、引用例４には、無孔波板４ａ及び目合い調整可能な横桟４ｂから構成されたチャフシーブ４の下方に第一圧風ファンＴ１を設けることが記載されている。
　これらから、グレンシーブ（引用例２記載のものでは、「揺動選別板21」がこれに対応し、引用例３記載のものでは、「上段のチヤフシーブ９」がこれに対応し、引用例４記載のものでは、「チャフシーブ４」がこれに対応する。）の下側に選別風路を形成することは周知な技術であるといえる。
　また、脱穀機においては、通常、一番コンベアの前側に送風唐箕を配置し、この送風唐箕からの圧風のみによって脱穀室より落下する脱穀物を選別（風選）している。
　そうすると、引用例１の発明において、第２唐箕２３の選別風路をグレンシーブ２の下方に形成し、第２唐箕２３を補助唐箕とすることは当業者なら容易に想到することができることであり、その際、唐箕の大きさは、必要とする風量や唐箕の形式等を考慮して当業者が容易に決定できることであるから、引用例１の発明において、唐箕１８を第２唐箕２３より大径に構成し、第２唐箕２３を、側面視で唐箕１８の上半部の前方に近接して配置するとともに、その送風路をグレンシーブ２の下方に形成して、本願発明のように構成することは当業者なら容易にできることである。
　そして、本願発明が奏する効果は、引用例１ないし４に記載された発明から予測できる程度のことであって格別顕著なものではない。
　したがって、本願発明は、引用例１ないし４に記載された発明に基いて当業者なら容易に発明をすることができたものである。
　
４．むすび
　したがって、本願発明は、引用例１ないし４に記載された発明に基づいて当業者が容易に発明をすることができたものであるから、他の請求項について検討するまでもなく、本願は、特許法第２９条第２項の規定により特許を受けることができない。
　よって、結論のとおり審決する。